(57)【要約】【課題】物理チャネルの制御情報（パラメータ）のエラーを検出するエラー検出方法を移動端末を提供する。【解決手段】受信側（移動端末）において、HSDPA (High Speed Downlink Packet Access)のトランスポートチャネルHS-DSCH (High-Speed Downlink Shared Channel)処理（レートマッチング処理など）の過程で生成される各ビット系列のサイズを比較することで、送信側（基地局）から制御情報用物理チャネルHS-SCCH (High-Speed Shared Control Channel)により送信される制御情報のエラーを検出する。【選択図】図２
2006279311.tif 000002
【特許請求の範囲】
【請求項１】
基地局から移動端末へのデータ用物理チャネルに付随する制御情報用物理チャネルにより伝送される制御情報のエラー検出方法において、
基地局は、データである情報ビットをレートマッチング処理して物理チャネルビットに変換し、当該物理チャネルビットを前記データ用物理チャネルにより送信し、前記データに関する制御情報を前記制御情報用物理チャネルにより送信し、
前記移動端末は、前記物理チャネルビットと前記制御情報を受信し、前記物理チャネルビットを前記制御情報を用いて前記レートマッチング処理の逆処理であるレートデマッチング処理し、
前記移動端末は、前記制御情報により求められる前記物理チャネルビットと前記情報ビットのサイズとの比較に基づいて、受信した前記制御情報のエラーを検出し、当該エラーを検出した場合、前記情報ビットの前記レートデマッチング処理を停止することを特徴とするエラー検出方法。
【請求項２】
基地局において、データである情報ビットがレートマッチング処理されて物理チャネルビットに変換され、前記基地局からデータ用物理チャネルにより送信される前記物理チャネルビットと、前記データ用物理チャネルに付随する前記制御情報用物理チャネルにより送信される前記データに関する制御情報とを受信する移動端末において、
受信した前記物理チャネルビットを前記制御情報を用いて前記レートマッチング処理の逆処理であるレートデマッチング処理するレートデマッチング処理部と、
前記制御情報により求められる前記物理チャネルビットと前記情報ビットのサイズとの比較に基づいて、受信した前記制御情報のエラーを検出し、当該エラーを検出した場合、前記レートデマッチング処理部のレートデマッチング処理を停止するエラー検出部とを備えることを特徴とする移動端末。
【請求項３】
請求項２において、
前記エラー検出部は、前記制御情報により求められる前記情報ビットのサイズが、前記制御情報より求められる前記物理チャネルのサイズより小さい場合、受信した前記制御情報のエラーを検出することを特徴とする移動端末。
【請求項４】
基地局において、データである情報ビットが第一のレートマッチング処理され、続いて第二のレートマッチング処理されて物理チャネルビットに変換され、前記基地局からデータ用物理チャネルにより送信される前記物理チャネルビットと、前記データ用物理チャネルに付随する前記制御情報用物理チャネルにより送信される前記データに関する制御情報とを受信する移動端末において、
受信した前記物理チャネルビットを前記制御情報を用いて前記第二のレートマッチング処理の逆処理である第二のレートデマッチング処理し、続いて前記第一のレートマッチング処理の逆処理である第一のレートデマッチング処理するレートマッチング処理部と、
前記制御情報により求められる前記第一のレートマッチング処理後のビットサイズと前記情報ビットのサイズとの比較に基づいて、受信した前記制御情報のエラーを検出し、当該エラーを検出した場合、前記情報ビットの前記第一及び第二のレートデマッチング処理を停止するエラー検出部とを備えることを特徴とする移動端末。
【請求項５】
基地局において、データである情報ビットが符号化処理され、さらに第一のレートマッチング処理し、当該第一のレートマッチング処理後のビットが一時的に第一のバッファメモリに格納され、続いて当該格納されたビットが第二のレートマッチング処理されて物理チャネルビットに変換され、前記基地局からデータ用物理チャネルにより送信される前記物理チャネルビットと、前記データ用物理チャネルに付随する前記制御情報用物理チャネルにより送信される前記データに関する制御情報とを受信する移動端末において、
受信した前記物理チャネルビットを前記制御情報を用いて前記第二のレートマッチング処理の逆処理である第二のレートデマッチング処理し、当該第二のレートデマッチング処理後のビットを一時的に第二のバッファメモリに格納し、続いて当該格納されたビットを前記第一のレートマッチング処理の逆処理である第一のレートデマッチング処理するレートマッチング処理部と、
あらかじめ指定される前記バッファメモリのサイズと前記情報ビットのサイズとの比較に基づいて、受信した前記制御情報のエラーを検出し、当該エラーを検出した場合、前記レートマッチング処理部の第一及び第二のレートデマッチング処理を停止するエラー検出部とを備えることを特徴とする移動端末。
【発明の詳細な説明】
【技術分野】
【０００１】
本発明は、無線通信の下りリンクチャネルで送信される制御情報のエラーを検出するエラー検出方法及び移動端末に関し、特に、HSPDAのHS-SCCHで伝送される制御情報のエラーを検出するエラー検出方法及び移動端末に関する。
【背景技術】
【０００２】
HSDPA(High Speed Downlink Packet Access) は、W-CDMAを採用した３G（第三世代）に対して、3.5Gと位置づけられている高速パケット伝送技術の1つであり、2002年3月に3G方式の標準化団体3GPPの発行した「Release 5」規格で標準化されている。HSDPAでは、端末 (携帯電話等) のチャネル品質や QoS などの情報に応じたダウンリンク・パケットの高速スケジューリング、共有チャネルの高速化 (HS-DSCH: High-Speed Downlink Shared Channel)、通信エラー時の再送処理に伴う遅延を削減 (H-ARQ: Hybrid Automatic Repeat Request) などの技術が採用されている。従来のW-CDMA方式ではデータ通信速度は384kbpsが上限で、通常の3G規格内での高速化は2Mbpsが限度とされてきたが、HSDPAの導入により理論上は最大14.4Mbps（下り方向）まで向上させることができる。
【０００３】
通信速度の高速化は、基本的に、電波の状態に応じてより高速な変調方式や符号化方式を自動的に選択することにより実現される。具体的には、電波の状態の悪いときには、安定性は高いが低速なQPSK (Quadrature Phase Shift Keying)による変調と誤り訂正能力の大きい符号化方式(オーバーヘッドが大きいため低速になる)に、電波の状態がいいときには、より高速な16QAM (16 Quadrature Amplitude Modulation)による変調と誤り訂正能力の小さい符号化方式(高速)に、自動的に切り替わる。また、再送制御方式にハイブリッドARQ（Automatic Repeat Request：自動再送要求）方式を採用し、エラー検出時の再送回数を抑えている。
【０００４】
HSDPAにおける下りリンク(Downlink)は、１つのチャネルを複数のユーザが共有して使用することができるHS-DSCH (High-Speed Downlink Shared Channel)である。HS-DSCHは、トランスポートチャネルであって、対応する物理チャネルは、HS-PDSCH(High-Speed Physical Downlink Shared Channel)とHS-SCCH(High-Speed Shared Control Channel)から構成される。HS-PDSCHはデータを伝送するチャネルであって、HS-SCCHは制御情報を伝送するチャネルである。
【０００５】
HS-DSCHで伝送されるデータ（情報ビット）は、送信側（基地局）において、符号化（チャネルコーディング）処理され、符号化処理されたビット系列は、物理チャネルにマッピングするために、レートマッチング(Rate matching)処理される。
【０００６】
図１は、送信側（基地局）のレートマッチング処理を行うH-ARQ処理部の構成例を示す図である。HSDPAは、H-ARQ処理部（レートマッチング処理部）１において符号化処理を行っていて、ターボ符号化部１０は、入力されるHS-DSCHデータ（情報ビットN）をターボ符号化し、組織ビットNsys0（情報ビットNを加工していない状態）、パリィティ１ビットNp10（情報ビットをターボ符号化した状態）、パリィティ２ビットNp20（情報ビットをターボ符号化、さらにインタリーブ処理を施した状態）の３種類の信号をパラレルに出力する。３種類の信号のうち、パリィティ１ビットNp10、パリィティ２ビットNp20に対しては、1stレートマッチング部１１において、1stレートマッチング処理が行われる。従って、1stレートマッチング処理部１１からは、１stレートマッチング処理されたパリティ１ビットNp1、1stレートマッチング処理されたパリティ２ビットNp2が出力され、これらは、一旦、バーチャルＩＲバッファ１２に保持される。1stレートマッチング処理されない組織ビットNsysもバーチャルＩＲバッファ１２に保持される。
【０００７】
その後、各ビット系列Nsys、Np1、Np2は、さらに、2ndレートマッチング部１３により、2ndレートマッチング処理される。2ndレートマッチング処理された組織ビットNt,sys、パリティ１ビットNt,p1、パリチィ2ビットNt,p2は、パラレル−シリアル変換部１４により、シリアルなビット系列Ndataに変換され、物理チャネルにマッピングされる。なお、1stレートマッチング処理では、パンクチャ(Puncture)するときのみ、レートマッチングを行い、レピテーションするときはレートマッチングを行わない。パンクチャは、ビット系列から一定周期でビットを抜き取る処理であり、レピテーションは、ビット系列に対し一定周期でビットを挿入する処理である。
【０００８】
また、Ndataは、変調方式がQPSKの場合は960×Pビット、16QAMの場合は1920×P(P:コード多重数、1,2,…,15)ビットであり、最低値960bitとなる。QPSKか16QAMかは、物理チャネルHS-SCCHの制御情報に含まれるパラメータXms(Modulation scheme information)<1bit>で指定され、コード多重数はHS-SCCHのパラメータXccs (Channelization-code-set information)<7bit>により計算される。
【０００９】
バーチャルIRバッファ１２のサイズの範囲は800bit,1600bit,…,14400bit,  15200bit,16000bit,17600bit,…,28800bit,30400bitであり、バーチャルIRバッファ１２のサイズは上位Layerからのパラメータによって指定される。
【００１０】
情報ビットNのサイズは、トランスポートブロック（TrBLK）サイズにCRCビット（２４ビット固定）を付加したものである。TrBLKサイズは、HS-SCCHのパラメータXtbs(Transport-block size information)<6bit>とパラメータXmsにより分かる変調方式、パラメータXccsにより分かるコード多重数とから計算され、137bit〜2792bitの範囲の値を取りうる。従って、情報ビットNのサイズ範囲は、２４ビットの固定のCRCビットを加えることにより、161bit〜2816bitである。
【発明の開示】
【発明が解決しようとする課題】
【００１１】
一方、受信側（携帯電話などの移動端末）は、送信側からのHS-DSCHデータ信号Ndataを受信し、復号する。この復号の際、HS-SCCHの制御情報に含まれる上記各種パラメータを用いる必要がある。HS-SCCHには、CRCビット（１６ビット固定）が付加されており、CRCチェックによりエラーが検出されない場合は、HS-SCCHに含まれるパラメータを用いて復号が行われるが、CRCチェックによりエラーが検出されると、HS-SCCHのパラメータに信頼性がないと判断され、復号は行われない。
【００１２】
また、CRCチェックは、理論上、エラーが検出されるべきにもかかわらず、エラーを検出しない確率が存在し、CRCビットが１６ビットの場合の確率は１／２16ある。このような場合、HS-SCCHのパラメータに信頼性がないので、データを復号しないようにする必要がある。すなわち、CRCチェックとは異なる手段で、HS-SCCHのパラメータエラーを検出する必要がある。
【００１３】
そこで、本発明の目的は、CRCチェックとは別に、物理チャネルの制御情報（パラメータ）のエラーを検出するエラー検出方法及びそれを実行する移動端末を提供することにある。
【課題を解決するための手段】
【００１４】
上記目的を達成するための本発明の第一のエラー検出方法は、基地局から移動端末へのデータ用物理チャネルに付随する制御情報用物理チャネルにより伝送される制御情報のエラー検出方法において、基地局は、データである情報ビットをレートマッチング処理して物理チャネルビットに変換し、当該物理チャネルビットを前記データ用物理チャネルにより送信し、前記データに関する制御情報を前記制御情報用物理チャネルにより送信し、
前記移動端末は、前記物理チャネルビットと前記制御情報を受信し、前記物理チャネルビットを前記制御情報を用いて前記レートマッチング処理の逆処理であるレートデマッチング処理し、前記移動端末は、前記制御情報により求められる前記物理チャネルビットと前記情報ビットのサイズとの比較に基づいて、受信した前記制御情報のエラーを検出し、当該エラーを検出した場合、前記情報ビットの前記レートデマッチング処理を停止することを特徴とする。
【００１５】
上記第一のエラー検出方法において、移動端末は、例えば、制御情報により求められる情報ビットのサイズが、制御情報より求められる物理チャネルのサイズより小さい場合、受信した制御情報のエラーを検出する。
【００１６】
本発明の第二のエラー検出方法は、基地局から移動端末へのデータ用物理チャネルに付随する制御情報用物理チャネルにより伝送される制御情報のエラー検出方法において、基地局は、データである情報ビットを第一のレートマッチング処理し、続いて第二のレートマッチング処理して物理チャネルビットに変換し、当該物理チャネルビットを前記データ用物理チャネルにより送信し、前記データに関する制御情報を前記制御情報用物理チャネルにより送信し、前記移動端末は、前記物理チャネルビットと前記制御情報を受信し、前記物理チャネルビットを前記制御情報を用いて前記第二のレートマッチング処理の逆処理である第二のレートデマッチング処理し、続いて前記第一のレートマッチング処理の逆処理である第一のレートデマッチング処理し、前記移動端末は、前記制御情報により求められる前記第一のレートマッチング処理後のビットサイズと前記情報ビットのサイズとの比較に基づいて、受信した前記制御情報のエラーを検出し、当該エラーを検出した場合、前記情報ビットの前記第一及び第二のレートデマッチング処理を停止することを特徴とする。
【００１７】
上記第二のエラー検出方法において、移動端末は、例えば、制御情報により求められる情報ビットのサイズが、制御情報より求められる第一のレートマッチング処理後のビットサイズより小さい場合、受信した制御情報のエラーを検出する。
【００１８】
本発明の第三のエラー検出方法は、基地局から移動端末へのデータ用物理チャネルに付随する制御情報用物理チャネルにより伝送される制御情報のエラー検出方法において、基地局は、データである情報ビットを第一のレートマッチング処理し、当該第一のレートマッチング処理後のビットを一時的にバッファメモリに格納し、続いて当該格納されたビットを続いて第二のレートマッチング処理して物理チャネルビットに変換し、当該物理チャネルビットを前記データ用物理チャネルにより送信し、前記データに関する制御情報を前記制御情報用物理チャネルにより送信し、前記移動端末は、前記物理チャネルビットと前記制御情報を受信し、前記物理チャネルビットを前記制御情報を用いて前記第二のレートマッチング処理の逆処理である第二のレートデマッチング処理し、当該第二のレートデマッチング処理後のビットを一時的に第二のバッファメモリに格納し、続いて当該格納されたビットを前記第一のレートマッチング処理の逆処理である第一のレートデマッチング処理し、前記移動端末は、あらかじめ指定される前記第一又は第二のバッファメモリのサイズと前記情報ビットのサイズとの比較に基づいて、受信した前記制御情報のエラーを検出し、当該エラーを検出した場合、前記情報ビットの前記第一及び第二のレートデマッチング処理を停止することを特徴とする。
【００１９】
上記第三のエラー検出方法において、移動端末は、制御情報により求められる情報ビットのサイズが、バッファメモリのサイズより小さい場合、受信した制御情報のエラーを検出する。
【００２０】
また、上記目的を達成するための本発明の移動端末は、上記第一、第二又は第三のエラー検出方法における移動端末の処理を実行する。
【発明の効果】
【００２１】
本発明によれば、レートマッチング前後のビット系列のサイズを比較することにより、物理チャネルにより伝送される制御情報のエラーを検出することができる。従って、制御情報に付加されて伝送されるCRCを用いた誤り検出で、制御情報のエラーを検出できない場合でも、本発明のエラー検出方法により確実にエラーを検出することができ、データの誤った復号を防止することができる。
【発明を実施するための最良の形態】
【００２２】
以下、図面を参照して本発明の実施の形態について説明する。しかしながら、かかる実施の形態例が、本発明の技術的範囲を限定するものではない。
【００２３】
本発明では、受信側（移動端末）において、HSDPAのHS-DSCH処理（レートマッチング処理など）の過程で生成される各ビット系列のサイズを比較することで、HS-SCCHのパラメータエラーを検出する。
【００２４】
図２は、受信側（移動端末）のレートデマッチング(rate de-matching)処理を行うレートデマッチング処理部２の構成例を示す図である。図２の構成は、図１の構成とほぼ同一であり、信号は逆向きの経路を伝送する。
【００２５】
具体的には、物理チャネルにマッピングされたシリアルなビット系列（物理チャネルビット）Ndataは、シリアル−パラレル変換部２４により、組織ビットNt,sys、パリティ１ビットNt,p1、パリチィ2ビットNt,p2に変換される。組織ビットNt,sys、パリティ１ビットNt,p1、パリチィ2ビットNt,p2は、2ndレートデマッチング部２３により、2ndレートデマッチング処理される。レートデマッチング処理は、レットマッチング処理の逆処理であり、送信側のレートマッチング処理でパンクチャされたビットを補充し、レピテーションされたビットを抜く処理である。2ndレートデマッチング処理された組織ビットNsys、パリティ１ビットNp1、パリティ２ビットNp2は、バーチャルＩＲバッファ２２に保持される。なお、送信側のバーチャルＩＲバッファ１２と受信側のバーチャルＩＲバッファ２２のサイズは同一に設定される。
【００２６】
さらに、パリティ１ビットNp1、パリティ２ビットNp2は、1stレートデマッチング部２１により、1stレートデマッチング処理され、ターボ復号部２０に入力される。組織ビットNsysは、1stレートデマッチング処理されずに、ターボ復号部２０に入力される。
【００２７】
ターボ復号部２０は、入力された組織ビットNsys0、パリティ１ビットNp10、パリティ２ビットNp20をターボ復号し、情報ビット（データビット）Nとして出力する。これら一連の処理は、送信側と同様に、トランスポートチャネル即ちHS-DSCHの処理である。
【００２８】
受信側の移動端末は、送信側からの無線信号を受信すると、データ信号を物理チャネル(HS-PDSCH)からトランスポートチャネル（HS-DSCH）に移行させ、上述したレートデマッチング処理及びターボ復号処理などのHS-DSCH処理を施す。一方、移動端末は、受信した物理チャネルHS-SCCHの制御情報から、上記データ信号のHS-DSCH処理のために必要なパラメータを抽出する。移動端末は、抽出されたパラメータから、HS-DSCH処理（レートデマッチング処理など）の過程で生成される各ビット系列、すなわち、Nt,sys、Nt,p1、Nt,p2、Nsys、Np1、Np2、Nのサイズを計算することができる。また、Ndataのサイズも、抽出されるパラメータより計算される。
【００２９】
HS-SCCHの制御情報から抽出されるパラメータは、例えば、Xccs（７ビット）、Xms（１ビット）、Xtbs（６ビット）、Xrv（３ビット）である。
【００３０】
Xccs(Channelization-code-set information)は、コード多重数Pに関する情報を有し、Xms(Modukation scheme information)は、変調方式(16QAM/QPSK)に関する情報を有する。１コードの１サブフレーム(2ms)あたりのビット長は、16QAM及びQPSKそれぞれ1920ビット及び960ビットであるので、Ndata=1920×P(16QAM)及び960×P(QPSK)となる。
【００３１】
Xtbs(Transport-block size information)は、トランスポートチャネルのブロック（TrBLK）サイズに関する情報を有する。情報ビットNは、TｒBLKとCRCビットで構成され、CRCビットは２４ビット固定なので、情報ビットN= TｒBLK＋24となる。
【００３２】
尚、XtbsとXccs、Xmsの組み合わせとTrBLKとの対応関係を記憶しておき、この対応関係からTrBLKを求めることが望ましいが、XccsやXms等の情報を利用せずに、Xtbsに基づいてTrBLKを求めることができる。
【００３３】
例えば、XtbsとTrBLKとを一意的に対応させ、その対応関係を記憶しておき、その記憶情報に基づいてTrBLKを求めるのである。
【００３４】
情報ビットNは、送信側でレートマッチング処理され、Ndataに変換されて送信されるが、Ndataのビット長（サイズ）が情報ビットNのビット長未満に削減されると、受信側では、受信したNdataから情報ビットNを復号できなくなる。従って、送信されるNdataのビット長は、情報ビットNのサイズ以上である必要がある。即ち、送信側における1stレートマッチング処理と2ndレートマッチング処理の結果、
N≦Ndata  …（１）
が成立する必要がある。
【００３５】
通常、上記（１）式の条件を満たすように、レートマッチング処理が行われるが、制御情報用物理チャネルHS-SCCHにより伝送される制御情報にエラーが発生すると、制御情報に含まれるパラメータが異常値となり、受信側において、上記（１）式を満たさなくなる場合がある。
【００３６】
本実施の形態例では、移動端末は、上記（１）式の条件を満たすかどうかの判定を行うエラー検出処理部３（図２参照）を有し、制御情報にエラーが発生しているにもかかわらず、受信側でのCRCチェックでエラー検出できなかった場合でも、エラー検出処理部３の処理により、制御情報のエラーを確実に検出する。
【００３７】
図３は、エラー検出処理部３の処理を示す第一のフローチャートである。エラー検出処理部３は、受信側の移動端末が受信する制御情報を取得し（Ｓ１０）、当該制御情報を用いて、Ndata及び情報ビットNのサイズを算出して求める（Ｓ１１）。求められたサイズを比較し（Ｓ１２）、両サイズが上記（１）式を満たさない場合は、CRCチェックの結果にかかわらず、制御情報のエラーと判定し（Ｓ１３）、レートデマッチング処理部２のレートデマッチング処理及び復号処理を行わないようにする。両サイズが上記（１）式を満たす場合、正常と判定され（Ｓ１４）、CRCチェックでもエラーが検出されなければ、レートデマッチング処理及び復号処理が行われる。
【００３８】
HS-SCCHの制御情報から抽出されるパラメータの説明に戻る。Xrv(Redundancy and constellation version; Redundancy version)は、2ndレートマッチングでパンクチャされたビット及びレピテーションされたビットの位置に関する情報を有する。このパラメータXrv とNdataのサイズから、2ndレートマッチング処理後の組織ビットNt,sys、パリティ１ビットNt,p1、パリチィ2ビットNt,p2のサイズが求められる。
【００３９】
送信側での1stレートマッチング処理後の組織ビットNsys、パリティ１ビットNp1、パリティ２ビットNp2は、1stレートマッチング処理前の組織ビットNsys0、パリティ１ビットNp10、パリティ２ビットNp20を用いて、次のようにして求められる。
【００４０】
Nsys0＋Np10＋Np20=Ntti
と置く。Nsys0=Nsys=N+4、Np10=N+4、Np20=N+4である。組織ビットNsys、パリティ１ビットNp1、パリティ２ビットNp2は、それぞれ情報ビットNにテール(tale)ビット(４ビット)を加えたサイズとなる。情報ビットNのサイズは、上述したように、情報ビットN= TｒBLK＋24である。
【００４１】
この1stレートマッチング処理前の組織ビットNsys0、パリティ１ビットNp10、パリティ２ビットNp20の合計ビット長をNttiとし、バーチャルＩＲバッファ２２のバッファサイズをNirとしたとき、1stレートマッチング処理後の組織ビットNsys、パリティ１ビットNp1、パリティ２ビットNp2のサイズは、次のように表すことができる。
【００４２】
ΔN＝Nir-Ntti
ΔN1=ΔN/2
ΔN2=ΔN/2（ΔN1は切り捨て処理、ΔN2は切り上げ処理、反対も可）
であるとき、
組織ビットNsys=Ntti/3
パリティ１ビットNp1= Ntti/3＋ΔN1  …（２）
パリティ２ビットNp2= Ntti/3＋ΔN2  …（３）
1stレートマッチング処理後の組織ビットNsys、パリティ１ビットNp1、パリティ２ビットNp2は、バーチャルIRバッファ２２に保持されるビット系列であり、バーチャルＩＲバッファのバッファサイズと同一である（Nir=Nsys＋Np1＋Np2）。
【００４３】
このバッファサイズが、情報ビットNのサイズより小さいと、受信側では、受信したNdataから情報ビットNを復号できなくなる。1stレートマッチング処理後の段階でビット長が、情報ビット長未満に削減されてしまっても、受信側で情報ビットNの復号はできない。
【００４４】
従って、1stレートマッチング処理後の組織ビットNsys、パリティ１ビットNp1、パリティ２ビットの合計ビット長は、情報ビットNのサイズ以上である必要がある。即ち、送信側における1stレートマッチング処理の結果、
N≦Nsys＋Np1＋Np2  …（４）
が成立する必要がある。
【００４５】
通常、上記（４）式の条件を満たすように、レートマッチング処理が行われるが、制御情報用物理チャネルHS-SCCHにより伝送される制御情報にエラーが発生すると、制御情報に含まれるパラメータが異常値となり、受信側において、上記（４）式を満たさなくなる場合がある。上記（４）式を満たさない場合とは、上記（２）、（３）式で求められるNp1＋Np2が負の値になる場合であって、原理上、パリティ１ビットNp1及びパリティ２ビットNp2は、負の値になり得ないにもかかわらず、計算上、パリティ１ビットNp1及びパリティ２ビットNp2が負の値となると、上記（４）式を満たさなくなる。
【００４６】
本実施の別の形態例では、移動端末のエラー検出部３は、上記（４）式の条件を満たすかどうかの判定を行い、制御情報にエラーが発生しているにもかかわらず、受信側でのCRCチェックでエラー検出できなかった場合でも、エラー検出処理部３の処理により、制御情報のエラーを確実に検出する。
【００４７】
図４は、エラー検出処理部３の処理を示す第二のフローチャートである。エラー検出処理部３は、受信側の移動端末が受信する制御情報を取得し（Ｓ２０）、当該制御情報を用いて、送信側における第一のレートマッチング処理後の組織ビットNsys、パリティ１ビットNp1、パリティ２ビットNp2のサイズ、及び情報ビットNのサイズを算出して求める（Ｓ２１）。第一のレートマッチング処理後の組織ビットNsys、パリティ１ビットNp1、パリティ２ビットの合計ビット長（サイズ）と情報ビットNのサイズを比較し（Ｓ２２）、両サイズが上記（４）式を満たさない場合は、CRCチェックの結果にかかわらず、制御情報のエラーと判定し（Ｓ２３）、レートデマッチング処理部２のレートデマッチング処理及び復号処理を行わないようにする。両サイズが上記（４）式を満たす場合、正常と判定され（Ｓ２４）、CRCチェックでもエラーが検出されなければ、レートデマッチング処理及び復号処理が行われる。
【００４８】
なお、ステップＳ２１で算出されるパリティ１ビットNp1、パリティ２ビットNp2のサイズが負の値であるかどうかにより、エラー検出を行ってもよい。
【００４９】
また、第一のレートマッチング処理後の組織ビットNsys、パリティ１ビットNp1、パリティ２ビットの合計ビット長（サイズ）は、バーチャルＩＲバッファのバッファサイズと同一なので、各ビットのサイズを算出する代わりに、上位レイヤから指定されるバッファサイズを用いて、サイズ比較が行われてもよい。
【００５０】
また、本発明は、HSPDAのチャネル伝送に限られず、レートマッチング処理を行うW-CDMAにおける他のチャネル伝送、さらには、他の無線通信方式におけるチャネル伝送にも適用可能である。
【００５１】
（付記１）
基地局から移動端末へのデータ用物理チャネルに付随する制御情報用物理チャネルにより伝送される制御情報のエラー検出方法において、
基地局は、データである情報ビットをレートマッチング処理して物理チャネルビットに変換し、当該物理チャネルビットを前記データ用物理チャネルにより送信し、前記データに関する制御情報を前記制御情報用物理チャネルにより送信し、
前記移動端末は、前記物理チャネルビットと前記制御情報を受信し、前記物理チャネルビットを前記制御情報を用いて前記レートマッチング処理の逆処理であるレートデマッチング処理し、
前記移動端末は、前記制御情報により求められる前記物理チャネルビットと前記情報ビットのサイズとの比較に基づいて、受信した前記制御情報のエラーを検出し、当該エラーを検出した場合、前記情報ビットの前記レートデマッチング処理を停止することを特徴とするエラー検出方法。
【００５２】
（付記２）
付記１において、
前記移動端末は、前記制御情報により求められる前記情報ビットのサイズが、前記制御情報より求められる前記物理チャネルのサイズより小さい場合、受信した前記制御情報のエラーを検出することを特徴とするエラー検出方法。
【００５３】
（付記３）
基地局から移動端末へのデータ用物理チャネルに付随する制御情報用物理チャネルにより伝送される制御情報のエラー検出方法において、
基地局は、データである情報ビットを第一のレートマッチング処理し、続いて第二のレートマッチング処理して物理チャネルビットに変換し、当該物理チャネルビットを前記データ用物理チャネルにより送信し、前記データに関する制御情報を前記制御情報用物理チャネルにより送信し、
前記移動端末は、前記物理チャネルビットと前記制御情報を受信し、前記物理チャネルビットを前記制御情報を用いて前記第二のレートマッチング処理の逆処理である第二のレートデマッチング処理し、続いて前記第一のレートマッチング処理の逆処理である第一のレートデマッチング処理し、
前記移動端末は、前記制御情報により求められる前記第一のレートマッチング処理後のビットサイズと前記情報ビットのサイズとの比較に基づいて、受信した前記制御情報のエラーを検出し、当該エラーを検出した場合、前記情報ビットの前記第一及び第二のレートデマッチング処理を停止することを特徴とするエラー検出方法。
【００５４】
（付記４）
付記３において、
前記移動端末は、前記制御情報により求められる前記情報ビットのサイズが、前記制御情報より求められる前記第一のレートマッチング処理後のビットサイズより小さい場合、受信した前記制御情報のエラーを検出することを特徴とするエラー検出方法。
【００５５】
（付記５）
基地局から移動端末へのデータ用物理チャネルに付随する制御情報用物理チャネルにより伝送される制御情報のエラー検出方法において、
基地局は、データである情報ビットを第一のレートマッチング処理し、当該第一のレートマッチング処理後のビットを一時的にバッファメモリに格納し、続いて当該格納されたビットを続いて第二のレートマッチング処理して物理チャネルビットに変換し、当該物理チャネルビットを前記データ用物理チャネルにより送信し、前記データに関する制御情報を前記制御情報用物理チャネルにより送信し、
前記移動端末は、前記物理チャネルビットと前記制御情報を受信し、前記物理チャネルビットを前記制御情報を用いて前記第二のレートマッチング処理の逆処理である第二のレートデマッチング処理し、当該第二のレートデマッチング処理後のビットを一時的に第二のバッファメモリに格納し、続いて当該格納されたビットを前記第一のレートマッチング処理の逆処理である第一のレートデマッチング処理し、
前記移動端末は、あらかじめ指定される前記第一又は第二のバッファメモリのサイズと前記情報ビットのサイズとの比較に基づいて、受信した前記制御情報のエラーを検出し、当該エラーを検出した場合、前記情報ビットの前記第一及び第二のレートデマッチング処理を停止することを特徴とするエラー検出方法。
【００５６】
（付記６）
付記５において、
前記移動端末は、前記制御情報により求められる前記情報ビットのサイズが、前記バッファメモリのサイズより小さい場合、受信した前記制御情報のエラーを検出することを特徴とするエラー検出方法。
【００５７】
（付記７）
基地局において、データである情報ビットがレートマッチング処理されて物理チャネルビットに変換され、前記基地局からデータ用物理チャネルにより送信される前記物理チャネルビットと、前記データ用物理チャネルに付随する前記制御情報用物理チャネルにより送信される前記データに関する制御情報とを受信する移動端末において、
受信した前記物理チャネルビットを前記制御情報を用いて前記レートマッチング処理の逆処理であるレートデマッチング処理するレートデマッチング処理部と、
前記制御情報により求められる前記物理チャネルビットと前記情報ビットのサイズとの比較に基づいて、受信した前記制御情報のエラーを検出し、当該エラーを検出した場合、前記レートデマッチング処理部のレートデマッチング処理を停止するエラー検出部とを備えることを特徴とする移動端末。
【００５８】
（付記８）
付記７において、
前記エラー検出部は、前記制御情報により求められる前記情報ビットのサイズが、前記制御情報より求められる前記物理チャネルのサイズより小さい場合、受信した前記制御情報のエラーを検出することを特徴とする移動端末。
【００５９】
（付記９）
基地局において、データである情報ビットが第一のレートマッチング処理され、続いて第二のレートマッチング処理されて物理チャネルビットに変換され、前記基地局からデータ用物理チャネルにより送信される前記物理チャネルビットと、前記データ用物理チャネルに付随する前記制御情報用物理チャネルにより送信される前記データに関する制御情報とを受信する移動端末において、
受信した前記物理チャネルビットを前記制御情報を用いて前記第二のレートマッチング処理の逆処理である第二のレートデマッチング処理し、続いて前記第一のレートマッチング処理の逆処理である第一のレートデマッチング処理するレートマッチング処理部と、
前記制御情報により求められる前記第一のレートマッチング処理後のビットサイズと前記情報ビットのサイズとの比較に基づいて、受信した前記制御情報のエラーを検出し、当該エラーを検出した場合、前記情報ビットの前記第一及び第二のレートデマッチング処理を停止するエラー検出部とを備えることを特徴とする移動端末。
【００６０】
（付記１０）
付記９において、
前記エラー検出部は、前記制御情報により求められる前記情報ビットのサイズが、前記制御情報より求められる前記第一のレートマッチング処理後のビットサイズより小さい場合、受信した前記制御情報のエラーを検出することを特徴とする移動端末。
【００６１】
（付記１１）
基地局において、データである情報ビットが符号化処理され、さらに第一のレートマッチング処理し、当該第一のレートマッチング処理後のビットが一時的に第一のバッファメモリに格納され、続いて当該格納されたビットが第二のレートマッチング処理されて物理チャネルビットに変換され、前記基地局からデータ用物理チャネルにより送信される前記物理チャネルビットと、前記データ用物理チャネルに付随する前記制御情報用物理チャネルにより送信される前記データに関する制御情報とを受信する移動端末において、
受信した前記物理チャネルビットを前記制御情報を用いて前記第二のレートマッチング処理の逆処理である第二のレートデマッチング処理し、当該第二のレートデマッチング処理後のビットを一時的に第二のバッファメモリに格納し、続いて当該格納されたビットを前記第一のレートマッチング処理の逆処理である第一のレートデマッチング処理するレートマッチング処理部と、
あらかじめ指定される前記バッファメモリのサイズと前記情報ビットのサイズとの比較に基づいて、受信した前記制御情報のエラーを検出し、当該エラーを検出した場合、前記レートマッチング処理部の第一及び第二のレートデマッチング処理を停止するエラー検出部とを備えることを特徴とする移動端末。
【００６２】
（付記１２）
付記１１において、
前記エラー検出部は、前記制御情報により求められる前記情報ビットのサイズが、前記バッファメモリのサイズより小さい場合、受信した前記制御情報のエラーを検出することを特徴とする移動端末。
【図面の簡単な説明】
【００６３】
【図１】送信側（基地局）のレートマッチング処理を行うH-ARQ処理部の構成例を示す図である。
【図２】受信側（移動端末）のレートデマッチング処理を行うH-ARQ処理部の構成例を示す図である。
【図３】エラー検出処理部３の処理を示す第一のフローチャートである。
【図４】エラー検出処理部３の処理を示す第二のフローチャートである。
【符号の説明】
【００６４】
１：レートマッチング処理部、２：レートデマッチング処理部、３：エラー検出部、１０：ターボ符号化部、１１：1stレートマッチング処理部、１２：バーチャルＩＲバッファ、１３：2ndレートマッチング処理部、１４：パラレル−シリアル変換部、２０：ターボ復号部、２１：1stレートデマッチング処理部、２２：バーチャルＩＲバッファ、２３：2ndレートデマッチング処理部、２４：シリアル−パラレル変換部
【図１】
2006279311.tif 000003
【図２】
2006279311.tif 000004
【図３】
2006279311.tif 000005
【図４】
2006279311.tif 000006